(57)【要約】      （修正有）【課題】安全にメンテンナンスを行うことができる照明システムを提供する。【解決手段】照明システムは、ポール（柱状物）に取り付けられる照明装置１０と、ポールに取り付けられる太陽光発電装置２０と、ポールに取り付けられる制御用筐体３０と、制御用筐体３０に収容される蓄電装置４０及びプリント板ユニット５０と、各装置をポールに取り付ける取付ユニットと、照明システムを外部から制御するためのリモコン７０と、を備える。制御用筐体３０に設けられた照明装置側コネクタ３１や発電装置側コネクタ３２は、それぞれ、コネクタ付きケーブル５１、５２を介して、基板コネクタ５０Ｊに接続する。蓄電装置４０による電力供給は、基板コネクタ５０Ｊ及びコネクタ付きケーブル５３を介して行われる。【選択図】図２
0003227989.tif 000002
【実用新案登録請求の範囲】
【請求項１】
照明装置と、
太陽光発電装置と、
各装置を制御する制御装置と、
前記太陽光発電装置が発電した電力を蓄電するとともに各装置に電力を供給するための蓄電装置と、
前記蓄電装置及び前記制御装置を収容する制御用筐体と、
前記太陽光発電装置から前記制御用筐体に接続される太陽光発電装置側配線と、
前記照明装置から前記制御用筐体まで延びる照明装置側配線と、を備え、
前記制御用筐体、前記照明装置及び前記太陽光発電装置は、柱状物に取り付けられ、
前記照明装置及び前記太陽光発電装置は、前記制御用筐体よりも上方に取り付けられたことを特徴とする照明システム。
【考案の詳細な説明】
【技術分野】
【０００１】
本考案は、照明システムに関する。
【背景技術】
【０００２】
従来より、夜間の歩行や車両の走行の安全を確保するように、夜間に路面などを照明する街灯が設置されている。容易に電力供給を受けることができるので、多くの街灯が電柱に設置されている。
【０００３】
このような街灯は、下方の路面などを照明する必要があることから、電球や蛍光灯などの発光部の上部に反射板を設置することにより、その発光部から出射される光（光量）を無駄なく下方に反射して照明することができるように設計されている（例えば、特許文献１参照）。
【先行技術文献】
【特許文献】
【０００４】
【特許文献１】特開平７−１４１９０５号公報
【考案の概要】
【考案が解決しようとする課題】
【０００５】
ところで、省エネの観点から、街灯に必要な電力を送電線から受電せずに、太陽光発電装置（ソーラーパネル）から受電することが望ましい。これにより、街灯のメンテナンスを電力会社に頼らず自治会等の面々が行うことも可能である。
【０００６】
街灯は、電柱等の柱状体のうち比較的高い部分に設けられている。また、より多くの太陽光を受光しより多くの電力を発電したいため、太陽光発電装置もまた柱状体のうち比較的高いところに設けられることが好ましい。しかしながら、街頭のメンテナンス、すなわち、太陽光発電装置、バッテリ（蓄電装置）及びこれらの制御装置のメンテナンスを行うためには、高所に登る必要があるため、危険が伴う。
【０００７】
本考案は、かかる事情に鑑み、安全にメンテンナンスを行うことができる照明システムを提供することを目的とする。
【課題を解決するための手段】
【０００８】
本考案は、照明装置と、太陽光発電装置と、各装置を制御する制御装置と、前記太陽光発電装置が発電した電力を蓄電するとともに各装置に電力を供給するための蓄電装置と、前記蓄電装置及び前記制御装置を収容する制御用筐体と、前記太陽光発電装置から前記制御用筐体に接続される太陽光発電装置側配線と、前記照明装置から前記制御用筐体まで延びる照明装置側配線と、を備え、前記制御用筐体、前記照明装置及び前記太陽光発電装置は、柱状物に取り付けられ、前記照明装置及び前記太陽光発電装置は、前記制御用筐体よりも上方に取り付けられたことを特徴とする。
【考案の効果】
【０００９】
本考案によれば、安全にメンテンナンスを行うことができる照明システムを提供することができる。
【図面の簡単な説明】
【００１０】
【図１】照明システムの概要を示す説明図である。
【図２】照明システムの概要を示すブロック図である。
【考案を実施するための形態】
【００１１】
図１に示すように、照明システム２は、ポールＰ（柱状物）に取り付けられる照明装置１０と、ポールＰに取り付けられる太陽光発電装置２０と、ポールＰに取り付けられる制御用筐体３０と、制御用筐体３０に収容される蓄電装置４０（図２）及びプリント板ユニット５０（図２）と、各装置をポールＰに取り付ける取付ユニット６０と、照明システム２を外部から制御するためのリモコン７０と、を備える。
【００１２】
照明装置１０は、ＬＥＤ等の光源を備える。光源は、用途に応じた所期の光量を発光する。
【００１３】
太陽光発電装置２０は、所定の波長の光を受ける受光部と、受光部が受けた光のエネルギーを電力エネルギーに変換する光電変換部と、変換された電力エネルギーを外部へ出力する出力部とを備える。
【００１４】
制御用筐体３０は、直方体状に形成され、正面に開口が形成される。さらに、制御用筐体３０は、開口を閉塞可能な扉が設けられる。制御用筐体３０の側面には、照明装置１０の外部ケーブル１１と接続可能な照明装置側コネクタ３１と、太陽光発電装置２０の外部ケーブル２１と接続可能な発電装置側コネクタ３２とが設けられる（図２）。
【００１５】
プリント板ユニット５０（制御装置）は、リモコン制御デバイス５０Ａと、操作デバイス５０Ｂと、表示デバイス５０Ｃと、明暗センサ５０Ｄと、調光デバイス５０Ｅと、コントロールデバイス５０Ｆと、各デバイスを電気的に接続する信号線５０Ｇ及び電力線（図示省略）を備えたプリント基板５０Ｈと、プリント基板５０Ｈに設けられ、外部装置に対して信号線５０Ｇ及び電力線を電気的に接続する基板コネクタ５０Ｊと、を備える。
【００１６】
リモコン制御デバイス５０Ａは、リモコン７０から出力された操作信号（ＯＮ信号やＯＦＦ信号）を受信するとともに、リモコン７０に対し所定の信号を出力する。操作デバイス５０Ｂは、ユーザによって操作が可能なスイッチ、ボタンやツマミを備える。表示デバイス５０Ｃは、鳴動可能なブザーや、点灯または点滅が可能なランプを備える。明暗センサ５０Ｄは、外部の光量を検知する受光部と、受光部が受光した光量が予め設定された閾値よりも大きいか否かを判定する判定部と、判定結果を示す信号をコントロールデバイス５０Ｆへ出力する出力部とを備える。調光デバイス５０Ｅは、コントロールデバイス５０Ｆの制御の下、照明装置１０が発する光の光量を調整するものである。コントロールデバイス５０Ｆは、各デバイスやセンサを制御する。
【００１７】
制御用筐体３０に設けられた照明装置側コネクタ３１や発電装置側コネクタ３２は、それぞれ、コネクタ付きケーブル５１、５２を介して、基板コネクタ５０Ｊに接続する。これにより、プリント板ユニット５０は、照明装置１０と太陽光発電装置２０に対して電気的に接続する。
【００１８】
蓄電装置４０は、太陽光発電装置２０から出力された電力を蓄えることが可能なバッテリ部と、バッテリ部から外部装置へ電力の供給を行う電力供給部と、を備える。蓄電装置４０による電力供給は、基板コネクタ５０Ｊ及びコネクタ付きケーブル５３を介して行われる。
【００１９】
ポールＰは、路側に起立する電柱や支柱などである。ポールＰには、上から下に向かうにしたがって、太陽光発電装置２０と、照明装置１０と、制御用筐体３０とがこの順に設けられる。例えば、太陽光発電装置２０の取付高さは、地上から４ｍであり、照明装置１０の取付高さは、地上から３ｍであり、制御用筐体３０の取付高さは、地上から２〜２．５ｍである。
【００２０】
取付ユニット６０は、照明装置１０をポールＰに取り付ける照明用取付具６１と、太陽光発電装置２０をポールＰに取り付ける発電用取付具６２と、制御用筐体３０をポールＰに取り付ける筐体用取付具６３と、を備える。
【００２１】
次に、照明システム２の利用方法について説明する。
【００２２】
電気工事業者は、取付ユニット６０を用いて、太陽光発電装置２０と、照明装置１０と、制御用筐体３０とをそれぞれポールＰに取り付ける。このとき、蓄電装置４０及びプリント板ユニット５０は、制御用筐体３０に収容され、ケーブル５１〜５３によって各部は電気的に接続されている。次に、電気工事業者は、ケーブル１１、２１を用いて、照明装置１０と、太陽光発電装置２０とを、制御用筐体３０に対して接続する。これにより、太陽光発電装置２０と照明装置１０と制御用筐体３０に収容される各デバイスやセンサの信号線及び電力線が電気的に接続する。
【００２３】
その後、ユーザは、リモコン７０を介して、照明装置１０のＯＮ／ＯＦＦ等の操作を行う。コントロールデバイス５０Ｆは、リモコン７０から出力された操作信号（ＯＮ信号やＯＦＦ信号）に基づいて、ＯＮ状態とＯＦＦ状態との間で照明装置１０を切り替える。さらに、コントロールデバイス５０Ｆは、明暗センサ５０Ｄからのセンシング信号に応じて、調光デバイス５０Ｅを制御する。こうして、ＯＮ状態の照明装置１０は、調光デバイス５０Ｅに基づく光量で発光することができる。
【００２４】
ここで、照明システム２が故障した場合、ユーザは、制御用筐体３０の扉を開けて、必要に応じて、各ケーブル５１〜５３を外し、蓄電装置４０やプリント板ユニット５０を交換する。故障原因が蓄電装置４０やプリント板ユニット５０である場合には、この交換作業によって照明システム２は復旧する。一方、故障原因が、照明装置１０や太陽光発電装置２０である場合には、この交換作業によって照明システム２は復旧しない。したがって、ユーザは、この交換作業によって照明装置１０や太陽光発電装置２０が故障したことを知ることができる。照明装置１０や太陽光発電装置２０が故障した場合には、電気工事業者に交換作業を依頼すればよい。
【００２５】
照明システム２によれば、ユーザに部品交換を行わせるユーザ保守エリアを制御用筐体３０とし、それより高所に取り付けられる照明装置１０や太陽光発電装置２０は電気工事業者の保守エリアとすることができる。このため、ユーザは高所に登らずに保守を行うことができるため、メンテンナンス作業の安全性が向上する。
【００２６】
また、照明装置１０や太陽光発電装置２０の故障確率は、蓄電装置４０やプリント板ユニット５０の故障確率に比べて小さい。このため、ほとんどの故障は、ユーザ側のメンテンナンス作業で足りる。
【００２７】
尚、本考案は、上記した実施の形態に限定されるものではなく、本考案の要旨を逸脱しない範囲内において種々変更を加え得ることは勿論である。
【符号の説明】
【００２８】
２     照明システム
１０   照明装置
２０   太陽光発電装置
３０   制御用筐体
４０   蓄電装置
５０   プリント板ユニット
６０   取付ユニット
７０   リモコン
【図１】
0003227989.tif 000003
【図２】
0003227989.tif 000004